(57)【特許請求の範囲】
【請求項１】
画像データの編集ができるディジタル複写装置において、
原稿を取り込むスキャナ部と、
画像データの編集を指令する編集指令、画像データの保管の要否と保管時の圧縮の要否を指令する保管指令、およびプリント出力時の複写用紙サイズ、複写枚数、複写画像の回転を指令する出力指令を入力する入力部と、
画像データを記録するフレームメモリと、
画像データを保管する保管部と、
前記保管部へ入力する画像データを圧縮する圧縮部と、
圧縮された画像データを伸張する伸張部とを備え、
前記保管部の画像データのプリント出力が選択されないときは、前記スキャナ部から前記フレームメモリに画像データを記録し、前記入力部の編集指令に従って編集を可能とし、該入力部の保管指令に従って該フレームメモリの画像データを前記保管部に記録すると共に前記入力部で設定された各種指令内容をヘッダとして記録し、
前記保管部の画像データのプリント出力が選択されたときは、保管されている画像データを前記フレームメモリに読出すと共に、読出した画像データと共に記録されたヘッダの内容に従って複写動作をさせるようにしたことを特徴とするディジタル複写装置。
【請求項２】
前記入力部の保管指令において圧縮した画像データと圧縮しない画像データの保管選択に加えて編集前の画像データと編集後の画像データの保管選択を設定可能とし、
前記入力部の保管指令で編集前の画像の保管が選択されたときは、前記スキャナ部から前記フレームメモリに記録された画像データの編集前に、該入力部の保管指令に従って圧縮した画像データ、または圧縮しない画像データとして該保管部へ保管した後に、該入力部の編集指令に従って画像データの編集動作を実行することを特徴とする請求項１記載のディジタル複写装置。
【発明の詳細な説明】
【０００１】
【発明の属する技術分野】
本発明は複写データを保管する保管部を備えたディジタル複写装置に関する。
【０００２】
【従来の技術】
従来よりデータ保管部を設け、必要に応じて複写した画像データを保管部に保管し、再度複写したいときは保管部に保管されているデータを読出して複写を行わせることが行われている。
【０００３】
【発明が解決しようとする課題】
このような複写画像データを保管部に保管する場合、入力された複写画像データを全て保管するようにしていた。
すなわち、複写に際して入力画像データを編集してトリミングされて複写される場合でも入力された複写画像データの全てを保管するようにしていた。
【０００４】
このため保管部に保管するデータ量が大となる欠点があった。
本発明は保管部に保管するデータ量を少なくするようにしたディジタル複写装置を提供することを課題とする。
【０００５】
【課題を解決するための手段】
請求項１の発明においては、画像データの編集ができるディジタル複写装置において、
原稿を取り込むスキャナ部と、
画像データの編集を指令する編集指令、画像データの保管の要否と保管時の圧縮の要否を指令する保管指令、およびプリント出力時の複写用紙サイズ、複写枚数、複写画像の回転を指令する出力指令を入力する入力部と、
画像データを記録するフレームメモリと、
画像データを保管する保管部と、
前記保管部へ入力する画像データを圧縮する圧縮部と、
圧縮された画像データを伸張する伸張部とを備え、
前記保管部の画像データのプリント出力が選択されないときは、前記スキャナ部から前記フレームメモリに画像データを記録し、前記入力部の編集指令に従って編集を可能とし、該入力部の保管指令に従って該フレームメモリの画像データを前記保管部に記録すると共に前記入力部で設定された各種指令内容をヘッダとして記録し、
前記保管部の画像データのプリント出力が選択されたときは、保管されている画像データを前記フレームメモリに読出すと共に、読出した画像データと共に記録されたヘッダの内容に従って複写動作をさせるようにしたことを特徴とする。
【０００６】
請求項２の発明においては、請求項１において、前記入力部の保管指令において圧縮した画像データと圧縮しない画像データの保管選択に加えて編集前の画像データと編集後の画像データの保管選択を設定可能とし、
前記入力部の保管指令で編集前の画像の保管が選択されたときは、前記スキャナ部から前記フレームメモリに記録された画像データの編集前に、該入力部の保管指令に従って圧縮した画像データ、または圧縮しない画像データとして該保管部へ保管した後に、該入力部の編集指令に従って画像データの編集動作を実行することを特徴とする。
【０００９】
【発明の実施の形態】
本発明の実施の形態を図１〜５を参照して説明する。図１は本発明に係る部分の実施例の構成図、図２〜図５は実施例の動作フローチャートである。
【００１０】
図１において、１は複写原稿をスキャンしてディジタル複写画像データを得るスキャナ部、２はスキャナ部１より得られた複写画像データを記録するフレームメモリ、３はフレームメモリ２に記録されている画像データをプリントして出力するプリンタ部、４は画像データを保管するＨＤＤ等の不規発性の保管部、５は画像データを圧縮する圧縮部、６は圧縮された画像データを伸張する伸張部、７は複写条件等を入力する入力部、８は制御部、９は処理を行うプロセッサ（ＣＰＵ）である。
【００１１】
つぎに、図２〜図５を参照して、実施例の動作を説明する。
ステップＳ１では、操作者は入力部７より、拡大縮小倍率、複写用紙サイズ、複写枚数、複写画像の回転、複写画像の編集、画像データの保管等の複写条件を入力し、ステップＳ２に移ってスタートボタンを押下する。
【００１２】
ステップＳ３では、制御部８は、ステップＳ１で保管部４に保管されているデータのプリンタ部３での複写が入力されたか否かを判定し、判定がＹＥＳの場合はステップＳ２６に移る。
ステップＳ４では、制御部８はスキャン部１に指令して複写原稿をスキャンし、ステップＳ５に移り、得られた複写画像データをフレームメモリ２に記録する。
【００１３】
ステップＳ６では、制御部８は、ステップＳ１で保管部４に画像データの保管が入力されたか否かを判定し、判定がＹＥＳの場合はステップＳ１０に移る。
ステップＳ７では、制御部８は、ステップＳ１でデータの編集が入力されたか否かを判定し、判定がＮＯの場合はステップＳ９に移る。
【００１４】
ステップＳ８では、制御部９は入力部７より入力される指令に基づいてフレームメモリ２に記録されて画像データの編集が行われる。
すなわち、図６に示されるように、画像データ１０の内１０Ａで示す領域のみを複写した場合は不用な１０Ｂ部分のデータを削除し、領域１０Ａを移動するトリミングが行われる。
【００１５】
また複数枚の画像データの必要な部分を指定した位置に配置して１画像とする編集も行われる。
なおステップＳ１で拡大縮小倍率が入力されている場合は、倍率に従った画像データの拡大縮小が行われる。
【００１６】
ステップＳ９では、制御部８は、フレームメモリに記録されている画像データを読出してプリンタ部でプリントさせる処理を指定された複写枚数に対応する回数繰返して処理を終了する。
また複写条件として複写画像の回転複写が入力された場合は図６（Ｃ）に示される画像データの縦軸アドレスと横軸アドレスを変更してフレームメモリより読出し、図６（Ｄ）に示されるように、９０度回転した複写を行わせる。
【００１７】
またステップＳ６でデータを保管すると判定された場合はステップＳ１０に移り、制御部８は、データを編集するか否かの判定が行われ、判定がＹＥＳの場合はステップＳ１５に移る。
ステップＳ１１では、制御部８は、ステップＳ１で保管するデータを圧縮して保管することが入力されたか否かを判定し、判定がＹＥＳの場合はステップＳ１３に移る。
【００１８】
ステップＳ１２では、制御部８は、ステップＳ１で入力された複写条件のヘッダを付してフレームメモリ２に記録されているデータを読出して保管部に記録してステップＳ１４に移る。
またステップＳ１１で圧縮保管すると判定された場合はステップＳ１３に移り、制御部８は、複写条件のヘッダを付し、フレームメモリ２に記録されているデータを読出し、読出したデータに対して圧縮部５で圧縮して保管部４に記録させる。
【００１９】
ステップＳ１５では、制御部８は、ステップＳ９で説明したと同様に、複写条件に従ってフレームメモリ２に記録されているデータを読出してプリンタ部３でプリントさせて出力し、処理を終了する。
【００２０】
なお実施例ではステップＳ１２またはＳ１３でフレームメモリ２よりデータを読出して保管部４に保管した後でステップＳ１４に移り、フレームメモリ２よりデータを読出してプリント出力させるようにしていたが、ステップＳ１４でフレームメモリ２より読出したデータを保管部４に保管するようにしてもよい。このように同時に行うことによって処理時間を短くすることができる。
【００２１】
なお、この場合、複数部の複写が指定されている場合はフレームメモリより複数回データが読出されるが、保管部４に保管するデータは、例えば最初の第１回目に読出されたデータのみを保管する。
【００２２】
また、ステップＳ６でデータを保管すると判定され、ステップＳ１０でデータを編集すると判定された場合はステップＳ１５に移り、制御部１５は、ステップＳ１で全データを保管することが入力されたか否かを判定する。
ステップＳ１で全データ保管が入力されなかった場合は自動的にステップＳ１０での判定がＹＥＳの場合はステップＳ２０に移る。
【００２３】
全データ保管が入力された場合はステップＳ１６に移り、圧縮保管がステップＳ１で入力されたか否かを判定し、判定がＮＯの場合はステップＳ１７に移り、ステップＳ１２で説明したと同様に処理されて保管部４に保管され、判定がＹＥＳの場合はステップＳ１８に移り、ステップＳ１３で説明したと同様に処理されて保管部４に保管される。
【００２４】
ステップＳ１７またはＳ１８で保管部４にデータが保管されるとステップＳ１９に移り、ステップＳ８で説明したと同様な処理が行われてデータの編集が行われステップＳ２０に移る。ステップＳ２０では、ステップＳ９で説明したと同様な処理が行われてプリンタ部３よりプリント出力されて処理を終了する。
【００２５】
また、ステップＳ６でデータを保管すると判定され、ステップＳ１０でデータを編集すると判定され、ステップＳ１５で全データの保管が入力されていなかった場合はステップＳ２１に移り、ステップＳ２１ではステップＳ８で説明したと同様な処理が行われてフレームメモリのデータの編集が行われる。
【００２６】
ステップＳ２２では、圧縮保管が入力されているか否かを判定し、判定がＮＯの場合はステップＳ２３に移り、ステップＳ１２に説明したと同様な処理が行われて編集されてトリミングされた領域（図６（Ｃ））の１０Ａで示す領域）のデータを保管部４に保管する。
【００２７】
また判定がＹＥＳの場合はステップＳ２４に移り、ステップＳ１３で説明したと同様な処理が行われ、トリミングされた領域のデータを圧縮部５で圧縮して保管部４に保管される。
【００２８】
ステップＳ２５ではステップＳ９で説明したと同様な処理が行われてプリンタ部３よりプリント出力されて処理を終了する。
また、ステップＳ３で保管部４に保管されているデータのプリント出力であると判定されたときはステップＳ２６に移り、制御部８は、保管部４に保管されているプリント出力する保管データのヘッダを読出す。
【００２９】
ステップＳ２７では、制御部８は、ヘッダに圧縮保管が記録されているか否かを判定し、判定がＮＯの場合はステップＳ２９に移る。
ステップＳ２７で圧縮保管されていると判定された場合はステップＳ２８に移り、制御部８は、保管部４に記録されているデータを読出し、伸張部６で伸張させフレームメモリ２に記録する。
【００３０】
またステップＳ２９では、保管部４に記録されているデータを読出してフレームメモリ２に記録する。
ステップＳ３０では、制御部８は、ヘッダに記録されている複写条件に従ってフレームメモリ２よりデータを読出してプリント部３よりプリント出力して処理を終了する。
【００３１】
【発明の効果】
保管部の画像データのプリント出力が選択されないときは、スキャナ部からフレームメモリに画像データを記録し、入力部の編集指令に従って編集を可能とし、該入力部の保管指令に従って該フレームメモリの画像データを前記保管部に記録すると共に前記入力部で設定された各種指令内容をヘッダとして記録し、前記保管部の画像データのプリント出力が選択されたときは、保管されている画像データを前記フレームメモリに読出すと共に、読出した画像データと共に記録されたヘッダの内容に従って複写動作をさせるようにしたので、保管部で保管するデータ量が少なくなり、保管部を有効に使用することができる。また、圧縮保管することで画像データ量をさらに少なくするのか、圧縮保管しないで画像品質を保持するのかを使用者が決定でき、さらに、画像データと共に各種指令内容もヘッダとして記録されるので最初に設定したプリント出力を、後から容易に繰り返すことができる。
【図面の簡単な説明】
【図１】本発明に係る部分の実施例の構成図である。
【図２】実施例の動作フローチャートである。
【図３】実施例の動作フローチャートである。
【図４】実施例の動作フローチャートである。
【図５】実施例の動作フローチャートである。
【図６】編集および回転を説明するための図である。
【符号の説明】
１    スキャナ部
２    フレームメモリ
３    プリンタ部
４    保管部
５    圧縮部
６    伸張部
７    入力部
８    制御部
９    プロセッサ（ＣＰＵ）
【図１】
0003898876.tif 000002
【図２】
0003898876.tif 000003
【図３】
0003898876.tif 000004
【図４】
0003898876.tif 000005
【図５】
0003898876.tif 000006
【図６】
0003898876.tif 000007